(57)【要約】【課題】簡単かつ確実に片手持ち・片手操作できる携帯端末を提供する。【解決手段】本発明の携帯端末によれば、携帯端末の画面両端に、縦長バー形状のアイコン画像である「クイックサイドバー」が表示される。クイックサイドバーに対してタッチ操作すると、携帯端末がそのタッチ操作に反応する。クイックサイドバーには、携帯端末の様々な機能やアプリケーションなどが関連付けされていて、このクイックサイドバーに対するタッチ操作の種類に応じて、これらの機能やアプリケーションなどが呼び出される。そして、片手持ち状態の親指に近い位置（画面端）に、クイックサイドバーを表示させることで、携帯端末を片手持ちしている親指で、クイックサイドバーを簡単かつ確実にタッチ操作できる。これにより、携帯端末の片手持ちの安定性（片手操作時の携帯端末の安定性）を失うことなく、携帯端末を片手操作できるので、携帯端末の片手持ち・片手操作が楽になる。【選択図】図６
2016178598.tif 000002
【特許請求の範囲】
【請求項１】
タッチパネルを有する表示部を備え、片手で操作可能な携帯端末において、
タッチ操作可能に表示される第１のアイコンを、表示画面の左右両端の何れか一方に表示する第１のアイコン表示手段と、
前記第１のアイコンの表示部分に対するタッチ操作の種類を判別する第１のタッチ操作判別手段と、
前記第１のタッチ操作判別手段により判別されたタッチ操作の種類に応じて、携帯端末の表示内容または状態を遷移させる第１の遷移手段と、
を有することを特徴とする携帯端末。
【請求項２】
タッチ操作可能に表示される第２のアイコンを、表示画面の左右両端の何れか一方に表示する第２のアイコン表示手段と、
前記第２のアイコンの表示部分に対するタッチ操作の種類を判別する第２のタッチ操作判別手段と、
前記第２のタッチ操作判別手段により判別されたタッチ操作の種類に応じて、携帯端末の表示内容または状態を遷移させる第２の遷移手段と、
を更に有することを特徴とする請求項１に記載の携帯端末。
【請求項３】
前記第１および第２のアイコンに対するタッチ操作がほぼ同時に行われたときに、
前記第１のタッチ操作判別手段により判別されたタッチ操作の種類と、
前記第２のタッチ操作判別手段により判別されたタッチ操作の種類と、
の組み合わせに応じて、携帯端末の表示内容または状態を遷移させる、第３の遷移手段を更に有することを特徴とする請求項１又は２に記載の携帯端末。
【請求項４】
電話またはメッセージが着信したときに、前記アイコンの近傍に波紋状の画像を表示する波紋画像表示手段を、更に有することを特徴とする請求項１乃至３の何れかに記載の携帯端末。
【請求項５】
前記アイコンは、縦方向に細長いバー形状の画像からなる、ことを特徴とする請求項１乃至４の何れかに記載の携帯端末。
【請求項６】
前記第１のアイコン表示手段は、第１のアイコンを、ユーザの利き手側の画面端に表示し、
前記第２のアイコン表示手段は、第２のアイコンを、表示部の画面端の左右何れか一方に表示する、
ことを特徴とする請求項５に記載の携帯端末。
【請求項７】
前記タッチ操作判別手段によって判別するタッチ操作の種類には、
前記アイコンの表示部分に対するタップ、
前記アイコンの表示部分に対するダブルタップ、
前記アイコンの表示部分に対するロングタップ、
前記アイコンの表示部分における長手方向に沿った上向きスワイプ、
前記アイコンの表示部分における長手方向に沿った下向きスワイプ、
前記アイコンの表示部分に対する左方向のフリック、
前記アイコンの表示部分に対する右方向のフリック、
前記アイコンの表示部分に対する上方向のフリック、
前記アイコンの表示部分に対する下方向のフリック、
前記アイコンの表示部分に対するドラッグ、
の何れか２種または３種以上が含まれることを特徴とする請求項１乃至６の何れかに記載の携帯端末。
【請求項８】
前記タッチ操作判別手段は、
前記第１または第２のアイコンの表示部分に対するドラッグ操作を判別した場合には、
当該アイコンの表示位置を、ドロップ位置近傍の画面端に移動させる、ことを特徴とする請求項１乃至８の何れかに記載の携帯端末。
【請求項９】
前記第１のアイコンの表示部分におけるタッチ操作の種類が、所定のタッチ操作であると判別された場合に、第１のアイコンの隣接位置に、選択可能な複数のアプリケーションや機能のアイコンを縦スクロール可能に表示するアイコン・スクロール表示手段を、更に有することを特徴とする請求項１乃至９の何れかに記載の携帯端末。
【請求項１０】
選択可能な複数のアプリケーションや機能のアイコンが表示されるホームスクリーンを、縦方向にスクロール可能に表示するためのホームスクリーン・スクロール手段を、更に有することを特徴とする請求項１乃至１０の何れかに記載の携帯端末。
【請求項１１】
タッチパネルを有する表示部を備え、片手で操作可能な携帯端末のプロセッサを、
タッチ操作可能に表示される第１のアイコンを、表示画面の左右両側の何れか一方に表示する第１のアイコン表示手段、
前記第１のアイコンの表示部分に対するタッチ操作の種類を判別する第１のタッチ操作判別手段、および
前記第１のタッチ操作判別手段により判別されたタッチ操作の種類に応じて、携帯端末の表示内容または状態を遷移させる第１の遷移手段、
として機能させるプログラム。
【発明の詳細な説明】
【技術分野】
【０００１】
本発明は、携帯端末および携帯端末用のプログラムに関するものであり、特に、片手で持って片手で操作可能なスマートフォンなどの携帯端末と、携帯端末の片手操作を支援するプログラムに関するものである。
【背景技術】
【０００２】
従来より、スマートフォンやタブレット端末などの携帯端末が提供されている。これらの携帯端末は、パソコン並みの機能を有していて、手軽に持ち歩けるといった特徴を有している。
【０００３】
なかでも、スマートフォンといった比較的小型の携帯端末は、片手で安定して持つことが可能で、また、片手で持って片手で操作できるため、種々の携帯端末のなかでも特に広く利用されている。
【０００４】
スマートフォンを片手持ち・片手操作する場合、通常、ユーザの利き手（多くは右手）にスマートフォンを載せ、その人差し指・中指・薬指・小指の４本でスマートフォンの背面側を支えつつ、自由に動かせる親指を画面にタッチさせて、タップやフリックなどのタッチ操作を行う。
【発明の概要】
【発明が解決しようとする課題】
【０００５】
このように、スマートフォンといった比較的小型の携帯端末は、携帯性や片手操作性に優れていることから、携帯端末のなかでも特に広く普及してきた。
【０００６】
しかしながら、近年開発され市販されるスマートフォンは、情報表示量の拡大を狙って、その表示画面（タッチスクリーン）のサイズが拡大する傾向にあり、その大きな画面サイズによってスマートフォンの片手操作性が妨げられる結果となっている。
【０００７】
すなわち、片手持ち・片手操作時のタッチ操作（例えばタップやフリックなど）には、利き手側の親指の動作が不可欠であるものの、スマートフォンの画面サイズが拡大すると、必然的に、親指が届かない範囲が拡大して、片手操作性が著しく妨げられるといった問題が生じる。このような片手操作性を阻害する問題は、特に画面サイズが大きい「ファブレット」と称されるタイプのスマートフォンにおいて、顕著に発生する。
【０００８】
また、従来よりも大きな表示画面（タッチスクリーン）を有する大型スマートフォンにおいて、片手持ち状態で無理に片手操作を行うと、親指を無理矢理に伸ばしたり曲げたりする結果、他の４本指によるスマートフォンの支えが不安定となって、スマートフォンが手元から落下する危険性がある。
【０００９】
また、女性の多くは、男性に比べて手のひらのサイズが小さいため、従来のスマートフォンでも、女性にとっては片手持ち・片手操作が困難な場合が多かった。
【００１０】
さらに、従来よりも大きな表示画面（タッチスクリーン）を有するスマートフォンにおいて、長時間にわたって無理矢理に片手操作を続けた場合には、スマホ腱鞘炎（正式名：ドゥケルバン腱鞘炎）を発症する危険性もある。
【００１１】
そこで、上述した従来技術の問題点に鑑み、本発明の目的は、ユーザの手のひらのサイズにかかわらず、画面サイズが大きくても片手持ち状態で簡単かつ確実に片手操作できる、片手操作性に優れた携帯端末を提供することにある。
また本発明の他の目的は、携帯端末の画面サイズが大きくても、ユーザの手のひらのサイズにかかわらず該携帯端末を片手持ち状態で簡単かつ確実に片手操作できるようにする携帯端末用プログラムを提供することにある。
【課題を解決するための手段】
【００１２】
上記目的は、
タッチパネルを有する表示部を備え、片手で操作可能な携帯端末であって、
タッチ操作可能に表示されるアイコンであって、携帯端末の表示内容または状態を前記タッチ操作の種類に応じて遷移させるための第１のアイコンを、表示画面の左右両端の何れか一方に表示する第１のアイコン表示手段と、
前記第１のアイコンの表示部分に対するタッチ操作の種類を判別する第１のタッチ操作判別手段と、
前記第１のタッチ操作判別手段により判別されたタッチ操作の種類に応じて、携帯端末の表示内容または状態を遷移させる第１の遷移手段と、
を有する携帯端末によって達成される。
【００１３】
前記携帯端末は、好ましくは、
タッチ操作可能に表示されるアイコンであって、携帯端末の表示内容または状態を前記タッチ操作の種類に応じて遷移させるための第２のアイコンを、表示画面の左右両端の何れか一方に表示する第２のアイコン表示手段と、
前記第２のアイコンの表示部分に対するタッチ操作の種類を判別する第２のタッチ操作判別手段と、
前記第２のタッチ操作判別手段により判別されたタッチ操作の種類に応じて、携帯端末の表示内容または状態を遷移させる第２の遷移手段と、
を更に有することが望ましい。
【００１４】
また、前記携帯端末は、好ましくは、
前記第１および第２のアイコンに対するタッチ操作がほぼ同時に行われたときに、
前記第１のタッチ操作判別手段により判別されたタッチ操作の種類と、
前記第２のタッチ操作判別手段により判別されたタッチ操作の種類と、
の組み合わせに応じて、携帯端末の表示内容または状態を遷移させる、第３の遷移手段を更に有することが望ましい。
【００１５】
また、前記携帯端末は、好ましくは、
電話またはメッセージが着信したときに、前記アイコンの近傍に波紋状の画像を表示する波紋画像表示手段を、更に有することが望ましい。
【００１６】
また、前記携帯端末において、好ましくは、
前記アイコンは、縦方向に細長いバー形状の画像からなる、ことが望ましい。
【００１７】
また、前記携帯端末において、好ましくは、
前記細長いバー形状のアイコンは、ホームスクリーンに表示された各種アプリケーションや機能を呼び出すためのアイコンと、画面端との間の隙間に表示されている、ことが望ましい。
【００１８】
また、前記携帯端末において、好ましくは、
前記細長いバー形状のアイコンは、画面端に密着したような状態、すなわち画面端に隙間なく吸い付いたような状態で、表示部に表示されている、ことが望ましい。
【００１９】
また、前記携帯端末において、好ましくは、
前記細長いバー形状のアイコンは、画面端から僅かに突出するように表示されている、ことが望ましい。
【００２０】
また、前記携帯端末において、好ましくは、
前記第１のアイコン表示手段は、第１のアイコンを、ユーザの利き手側の画面端に表示し、
前記第２のアイコン表示手段は、第２のアイコンを、表示部の画面端の左右何れか一方に表示する、
ことが望ましい。
【００２１】
また、前記携帯端末において、好ましくは、
前記タッチ操作判別手段によって判別するタッチ操作の種類には、
前記アイコンの表示部分に対するタップ、
前記アイコンの表示部分に対するダブルタップ、
前記アイコンの表示部分に対するロングタップ、
前記アイコンの表示部分における長手方向に沿った上向きスワイプ、
前記アイコンの表示部分における長手方向に沿った下向きスワイプ、
前記アイコンの表示部分に対する左方向のフリック、
前記アイコンの表示部分に対する右方向のフリック、
前記アイコンの表示部分に対する上方向のフリック、
前記アイコンの表示部分に対する下方向のフリック、
前記アイコンの表示部分に対するドラッグ、
の何れか２種または３種以上が含まれることが望ましい。
【００２２】
また、前記携帯端末において、好ましくは、
前記タッチ操作判別手段は、
前記第１または第２のアイコンの表示部分に対するドラッグ操作を判別した場合には、
当該アイコンの表示位置を、ドロップ位置近傍の画面端に移動させる、ことが望ましい。
【００２３】
また、前記携帯端末において、好ましくは、
前記第１のアイコンの表示部分におけるタッチ操作の種類が、所定のタッチ操作であると判別された場合に、第１のアイコンの隣接位置に、選択可能な複数のアプリケーションや機能のアイコンを縦スクロール可能に表示するアイコン・スクロール表示手段を、更に有することが望ましい。
【００２４】
また、前記携帯端末において、好ましくは、
選択可能な複数のアプリケーションや機能のアイコンが表示されるホームスクリーンを、縦方向にスクロール可能に表示するためのホームスクリーン・スクロール手段を、更に有することが望ましい。
【００２５】
また、前述した目的は、
タッチパネルを有する表示部を備え、片手で操作可能な携帯端末のプロセッサを、
タッチ操作可能に表示されるアイコンであって、携帯端末の表示内容または状態を前記タッチ操作の種類に応じて遷移させるための第１のアイコンを、表示画面の左右両側の何れか一方に表示する第１のアイコン表示手段、
前記第１のアイコンの表示部分に対するタッチ操作の種類を判別する第１のタッチ操作判別手段、および
前記第１のタッチ操作判別手段により判別されたタッチ操作の種類に応じて、携帯端末の表示内容または状態を遷移させる第１の遷移手段、
として機能させるプログラムによって達成される。
【発明の効果】
【００２６】
請求項１に記載の本発明によれば、携帯端末の画面上に、第１のアイコンがタッチ操作可能に表示される。この第１のアイコンが表示された部分の画面上（タッチスクリーン上）でタッチ操作を行うと、携帯端末がそのタッチ操作に反応するようになっている。この第１のアイコンには、携帯端末の様々な機能やアプリケーション、表示内容などが関連付けされていて、この第１のアイコンに対するタッチ操作の種類に応じて、これらの機能やアプリケーション、表示内容などのいずれかを呼び出して画面に表示するようになっている。
この第１のアイコンは、携帯端末の表示画面の左右両端の何れか一方に表示される。そして、この第１のアイコンに対するタッチ操作の種類に応じて、携帯端末の表示内容や状態が遷移するようになっている。
なお、タッチスクリーンを具備するスマートフォンなどの携帯端末を片手持ち・片手操作する場合、通常、図１８に示すように、ユーザの利き手側の手のひらに携帯端末を載せ、その利き手（多くは右手）の人差し指・中指・薬指・小指の４本でスマートフォンの背面側を支えつつ、自由に動かせる親指でタップやフリックなどのタッチ操作を実行する。そして、携帯端末を片手持ち・片手操作する際、主たる操作指である「親指」は、図１８に示すように表示画面の左右両端の何れか一方に近接している。例えば、右利きの場合には、携帯端末の画面右端に親指が近接することになる。
したがって、親指の近接位置である、表示画面の左右両端の何れか一方に、上記のような第１のアイコンを表示させることで、画面サイズにかかわらず携帯端末に良好な片手操作性を与えることができる。
つまり、片手持ち状態の親指に近い位置（画面端）に、第１のアイコンを表示させることで、携帯端末を片手持ちしている親指で、第１のアイコンを簡単かつ確実にタッチ操作することが可能になる。これにより、携帯端末の片手持ちの安定性（片手操作時の携帯端末の安定性）を失うことなく、携帯端末を片手操作できるので、携帯端末の片手持ち・片手操作が楽になるほか、片手持ち・片手操作時に携帯端末が落下する危険性が大幅に少なくなり、さらに、スマホ腱鞘炎（正式名：ドゥケルバン腱鞘炎）を発症する危険性も大幅に低減される。また、利き手側に第１のアイコンを表示させることで、手のひらのサイズに小さいユーザ（特に女性）でも、無理なく片手持ち・片手操作を行うことが可能になる。
また、タッチ操作可能な一つのアイコンに対して、複数種類のタッチ操作を関連付けることで、一つのアイコンに対するタッチ操作で、携帯端末を様々な状態に遷移させることが可能になる（あるいは様々な情報内容を表示させることが可能になる）。つまり、本発明では、利き手側の画面端に表示する一つにアイコンに対して、様々なアプリケーション、機能、表示内容などを関連付けているので、当該アイコンに対するタッチ操作の種類を変えることで、携帯端末を様々な状態に遷移させることが可能になる（あるいは様々な情報内容を表示させることが可能になる）。
【００２７】
請求項２に記載の本発明によれば、携帯端末の画面上に、携帯端末の画面上に、第２のアイコンがタッチ操作可能に表示される。この第２のアイコンは、携帯端末の表示画面の左右両端の何れか一方に表示される。そして、この第２のアイコンに対するタッチ操作の種類に応じて、携帯端末の表示内容や状態が遷移するようになっている。
このような第２のアイコンを、上記第１のアイコンとともに、携帯端末の画面端に表示することで、携帯端末の片手操作性を更に向上させることができる。
また、タッチ操作可能な一つのアイコンに対して、複数種類のタッチ操作を関連付けることで、一つのアイコンに対するタッチ操作で、携帯端末を様々な状態に遷移させることが可能になる（あるいは様々な情報内容を表示させることが可能になる）。つまり、本発明では、利き手側の画面端に表示する一つにアイコンに対して、様々なアプリケーション、機能、表示内容などを関連付けているので、当該アイコンに対するタッチ操作の種類を変えることで、携帯端末を様々な状態に遷移させることが可能になる（あるいは様々な情報内容を表示させることが可能になる）。
【００２８】
請求項３に記載の本発明によれば、第１および第２のアイコンに対するタッチ操作がほぼ同時に行われたときに、第１のタッチ操作判別手段により判別されたタッチ操作の種類と、第２のタッチ操作判別手段により判別されたタッチ操作の種類と、の組み合わせに応じて、携帯端末の表示内容または状態を遷移させる。
これにより、第１および第２のアイコンの両方を利用した簡単なタッチ操作で、携帯端末を様々な状態に遷移させることが可能になる（あるいは様々な情報内容を表示させることが可能になる）。
【００２９】
請求項４に記載の本発明によれば、電話やメッセージが着信したときに、第１および／または第２のアイコンの近傍に波紋状の画像を表示する。これにより、電話やメッセージの着信を直観的・視覚的に容易に理解することが可能になる。
また、送信者の名前や送信メッセージの件名などの着信情報の詳細を表示することなく、波紋状の画像だけを画面上に表示することで、周囲に人がいる場合でもユーザーのプライバシーを保護することができる。
【００３０】
請求項５に記載の本発明によれば、第１のアイコン、第２のアイコンは、縦方向に細長いバー形状（縦方向に細長い棒状）の画像からなる。これにより、当該アイコンに対する直観的なスワイプ操作（タッチ操作の一種）が可能になる。つまり、第１のアイコン、第２のアイコンを細長い形状で表示することで、ユーザに対して当該アイコンに対するスワイプ操作を促すことが可能になる。
また、縦方向に細長いバー形状（縦方向に細長い棒状）を画面端に表示することで、他のアイコン（アプリケーション起動用のアイコンなど）の表示を妨げることがない。
また、縦方向に細長いバー形状（縦方向に細長い棒状）を画面端に表示することで、第１のアイコン、第２のアイコンの専有面積の割合が少なくて済み、表示画面における各種情報の表示などを妨げることがない。つまり、第１のアイコン、第２のアイコンの表示によって、携帯端末の表示画面の有効活用が妨げられることがない。
【００３１】
請求項６に記載の本発明によれば、第１のアイコンは、ユーザの利き手側の画面端に表示される。例えば、右利きのユーザであれば、表示画面の右端に表示される。
このように、第１のアイコンを、ユーザの利き手側の画面端に表示することで、主たる操作指である「親指」によって携帯端末を簡単に片手操作できるようになる。
【００３２】
請求項７に記載の本発明によれば、
タッチ操作判別手段によって判別するタッチ操作の種類には、
第１のアイコン、第２のアイコンの表示部分に対するタップ、
第１のアイコン、第２のアイコンの表示部分に対するダブルタップ、
第１のアイコン、第２のアイコンの表示部分に対するロングタップ、
第１のアイコン、第２のアイコンの表示部分における長手方向に沿った上向スワイプ、
第１のアイコン、第２のアイコンの表示部分における長手方向に沿った下向スワイプ、
第１のアイコン、第２のアイコンの表示部分に対する左方向のフリック、
第１のアイコン、第２のアイコンの表示部分に対する右方向のフリック、
第１のアイコン、第２のアイコンの表示部分に対する上方向のフリック、
第１のアイコン、第２のアイコンの表示部分に対する下方向のフリック、
第１のアイコン、第２のアイコンの表示部分に対するドラッグ、
の何れか２種または３種以上が含まれる。
そして、タッチ操作可能な第１のアイコン、第２のアイコンのそれぞれに対して、上記複数種類のタッチ操作を関連付けることで、一つのアイコンに対するタッチ操作で、携帯端末を様々な状態に遷移させることが可能になる（あるいは様々な情報内容を表示させることが可能になる）。
【００３３】
請求項８に記載の本発明によれば、第１のアイコン、第２のアイコンの表示部分に対するドラッグを判別した場合には、当該アイコンの表示位置を、ドロップ位置近傍の画面端に移動させる。これにより、表示画面の左右両端の何れか一方において、ユーザの好みの位置に、第１のアイコン、第２のアイコンを表示させることができる。つまり、本発明では、第１のアイコン、第２のアイコンの表示位置を自由にカスタマイズすることが可能である。
【００３４】
請求項９に記載の本発明によれば、第１のアイコンの表示部分におけるタッチ操作の種類が、所定のタッチ操作であると判別された場合に、第１のアイコンの隣接位置に、選択可能な複数のアプリケーションや機能のアイコンを縦スクロール可能に表示する。これにより、選択可能なアプリケーションのアイコンを、主たる操作指である「親指」の近傍にスクロール表示できるので、所望のアプリケーションのアイコンを片手操作で確実に選択（主としてタップ）できるようになる。
【００３５】
請求項１０に記載の本発明によれば、選択可能な複数のアプリケーションや機能のアイコンが表示されるホームスクリーンを、縦方向にスクロール可能に表示するようになっている。これにより、第１のアイコン、第２のアイコンに対する左右方向のフリックによって、ホームスクリーンに（意図しない）スクロールが発生するのを防ぐことができる。
つまり、既存の携帯端末では、ホームスクリーンのスクロール方向は横方向だが、請求項１０に記載の本発明では、ホームスクリーンのスクロール方向は縦方向に設定して、ホームスクリーンの（意図しない）スクロールを防止している。
【００３６】
請求項１１に記載の本発明は、上述した機能・効果を携帯端末に与えるプログラムに関するものである。このようなプログラムを携帯端末にインストールすることで、既存の携帯端末に上述した機能・効果を与えることが可能になる。
【図面の簡単な説明】
【００３７】
【図１】本発明に係る携帯端末の機能的構成を示すブロック図である。
【図２】携帯端末による処理の流れを示すフローチャートである。
【図３】携帯端末による処理の流れを示すフローチャートである。
【図４】携帯端末による処理の流れを示すフローチャートである。
【図５】携帯端末による処理の流れを示すフローチャートである。
【図６】携帯端末の表示部に対するタッチ操作の一例を示す図である。
【図７】携帯端末の表示部に対するタッチ操作の一例を示す図である。
【図８】携帯端末の表示部に対するタッチ操作の一例を示す図である。
【図９】携帯端末の表示部に対するタッチ操作の一例を示す図である。
【図１０】携帯端末の表示部に対するタッチ操作の一例を示す図である。
【図１１】携帯端末の表示部に対するタッチ操作の一例を示す図である。
【図１２】携帯端末の表示部に対するタッチ操作の一例を示す図である。
【図１３】携帯端末の表示部に対するタッチ操作の一例を示す図である。
【図１４】携帯端末の表示部に対するタッチ操作の一例を示す図である。
【図１５】携帯端末の表示部に対するタッチ操作の一例を示す図である。
【図１６】携帯端末の表示部に対するタッチ操作の一例を示す図である。
【図１７】携帯端末の表示部に対するタッチ操作の一例を示す図である。
【図１８】携帯端末の表示部に対するタッチ操作の一例を示す図である。
【発明を実施するための形態】
【００３８】
（携帯端末の構成）
はじめに、図１に基づいて携帯端末の構成について説明する。
図１は、本発明に係る携帯端末の機能的構成を示すブロック図である。
【００３９】
本実施形態の携帯端末は、画像や映像などの各種情報を表示するとともに、表示画面の表面に触れることで操作を行うことができる表示機器である。携帯端末の種類は特に限定されないが、その一例として片手持ち・片手操作が可能なスマートフォンなどが挙げられる。「片手持ち・片手操作」とは、具体的には、スマートフォンなどの携帯端末をユーザの片手で持ち、当該片手で携帯端末を操作する行為を意味するものである。
【００４０】
本実施形態の携帯端末は、図１のブロック図に示すとおり、主として、表示部３、プロセッサ５（制御部）、メモリ７（記録部）などを備えている。
【００４１】
表示部３は２層構造であり、透明な材質で形成されたタッチパネル３１の下層に、表示パネル３２を備えている。
下層側の表示パネル３２は、液晶ディスプレイや有機ＥＬディスプレイなどから構成される。この表示パネル３２には、プロセッサ５による制御のもと、アイコンなどの画像、動画などの映像といった各種情報が表示される。
上層側のタッチパネル３１は、その表面に対してユーザの指先がタッチする位置、すなわち当該タッチ位置の座標やそのタッチ位置の変化などを検知するタッチパネルセンサーを具備している。このタッチパネルセンサーにより表示部３に対するタッチ操作を検出することができる。タッチパネル３１に対するタッチ位置を検出する具体的方法としては、抵抗膜方式、静電容量方式、電磁誘導方式、超音波表面弾性波方式などの様々な方式が一般的に知られている。
なお、この出願では、タッチパネル３１の表面側の面（ユーザの指先がタッチする面）を、必要に応じて表示画面や画面などと称する。
【００４２】
ユーザは表示部３に表示された操作ボタン、あるいは、携帯端末が有する機能に応じたアイコンに対応する位置を指先でタッチすることで、携帯端末に対する操作を行うことができる。
【００４３】
記録部をなすメモリ７は、プロセッサ５により実行されるオペレーティングシステムプログラム、各種アプリケーション・プログラムなどを格納するためのストレージである。このストレージは、例えばＲＯＭ（Read Only Memory）などで構成される。
【００４４】
プロセッサ５（制御部）は、携帯端末の各部を中枢的に制御する役割を担うものであり、演算実行部としてのＣＰＵ（Central Processing Unit）や、プロセッサがプログラムを実行するためのワークエリアであるＲＡＭ（Random Access Memory）、その他の回路などを備えている。
【００４５】
このプロセッサ５は、図１に示すとおり、
・第１クイックサイドバー表示部（第１のアイコン表示手段）、
・第１タッチ操作判別部（第１のタッチ操作判別手段）、
・第１遷移部（第１の遷移手段）、
・第２クイックサイドバー表示部（第２のアイコン表示手段）、
・第２タッチ操作判別部（第２のタッチ操作判別手段）、
・第２遷移部（第２の遷移手段）、
・第３遷移部（第３の遷移手段）、
・波紋画像表示部（波紋画像表示手段）、
・アイコン・スクロール表示部（アイコン・スクロール表示手段）、
・ホームスクリーン・スクロール部（ホームスクリーン・スクロール手段）、
などを具備している。
【００４６】
つまり、携帯端末が具備するプロセッサ５は、上述した各部（各手段）として機能する。
【００４７】
プロセッサ５の第１クイックサイドバー表示部（第１のアイコン表示手段）は、タッチ操作可能に表示される第１クイックサイドバー（第１のアイコン）を、表示画面の左右両端の何れか一方に表示する手段としての役割を担う（図３のステップS201参照）。第１クイックサイドバー（第１のアイコン）の詳細については後述する。
【００４８】
プロセッサ５の第１タッチ操作判別部（第１のタッチ操作判別手段）は、第１クイックサイドバーの表示部分に対するタッチ操作の種類を判別する手段としての役割を担う（図３のステップS203, S213, S223, S233, S243, S253, S263参照）。
【００４９】
プロセッサ５の第１遷移部（第１の遷移手段）は、第１タッチ操作判別部により判別されたタッチ操作の種類に応じて、携帯端末による表示内容や携帯端末の状態を遷移させる手段としての役割を担う（図３のステップS205, S215, S225, S235, S245, S255, S265参照）。
【００５０】
プロセッサ５の第２クイックサイドバー表示部（第２のアイコン表示手段）は、タッチ操作可能に表示される第２クイックサイドバー（第２のアイコン）を、表示画面の左右両端の何れか一方に表示する手段としての役割を担う。第２クイックサイドバー（第２のアイコン）の詳細については後述する。
【００５１】
プロセッサ５の第２タッチ操作判別部（第２のタッチ操作判別手段）は、第２クイックサイドバーの表示部分に対するタッチ操作の種類を判別する手段としての役割を担う。
【００５２】
プロセッサ５の第２遷移部（第１の遷移手段）は、第２タッチ操作判別部により判別されたタッチ操作の種類に応じて、携帯端末の表示内容や状態を遷移させる手段としての役割を担う。
【００５３】
プロセッサ５の第３遷移部（第３の遷移手段）は、第１および第２のクイックサイドバーに対するタッチ操作がほぼ同時に行われたときに、第１タッチ操作判別部により判別されたタッチ操作の種類と、第２タッチ操作判別部により判別されたタッチ操作の種類と、の組み合わせに応じて、携帯端末の表示内容や状態を遷移させる手段としての役割を担う（図４のステップS401, S403参照）。
【００５４】
プロセッサ５の波紋画像表示部（波紋画像表示手段）は、クイックサイドバーの近傍に波紋状の画像を表示する手段としての役割を担う（図５のステップS501, S503参照）。
【００５５】
プロセッサ５のアイコン・スクロール表示部（アイコン・スクロール表示手段）は、前記第１クイックサイドバーの表示部分におけるタッチ操作の種類が、所定のタッチ操作であると判別された場合に、第１クイックサイドバーの隣接位置に、選択可能な複数のアプリケーションや機能のアイコンを縦スクロール可能に表示する手段としての役割を担う（図１３参照）。
【００５６】
プロセッサ５のホームスクリーン・スクロール部（ホームスクリーン・スクロール手段）は、選択可能な複数のアプリケーションや機能のアイコンが表示されるホームスクリーンを、縦方向にスクロール可能に表示する手段としての役割を担う（図１５右側参照）。
【００５７】
上述した構成のほか、携帯端末は、カメラ、加速度センサー、マイク、無線通信用の移動体通信モジュールなどを具備している。
【００５８】
（携帯端末による処理／初期設定）
図２は、携帯端末にインストールされた「片手持ち・片手操作を支援するためのアプリケーション・プログラム」の初期設定の流れを示している。なお、片手持ち・片手操作を支援するためのアプリケーション・プログラムを、必要に応じて「操作支援アプリ」と略称する。
【００５９】
携帯端末に操作支援アプリをインストールした後、はじめて操作支援アプリを起動させてその設定画面を開くと、ユーザの利き手を確認するメニュー画面が表示部に表示される。メニュー画面に表示された質問内容に応じて、ユーザが利き手として右手を選択した場合には（図２のステップS101の判断Yes）、操作支援アプリは「右手操作モード」に設定される（図２のステップS103）。一方、ユーザが利き手として左手を選択した場合には（図２のステップS101の判断No）、操作支援アプリは「左手操作モード」に設定される（図２のステップS105）。
【００６０】
「右手操作モード」では、携帯端末のプロセッサは、右利きのユーザが携帯端末を片手持ち・片手操作する（携帯端末を右手持ちした状態でその右手親指でフリックなどのタッチ操作を行う）のに適した画像表示等を実行する。
「左手操作モード」では、携帯端末のプロセッサは、左利きのユーザが携帯端末を片手持ち・片手操作する（携帯端末を左手持ちした状態でその左手親指でフリックなどのタッチ操作を行う）のに適した画像表示等を実行する。
【００６１】
（右手操作モードの場合におけるクイックサイドバー）
前述した右手操作モードにおいて操作支援アプリが起動すると、第１のアイコンである「第１クイックサイドバー」が、ユーザの利き手側である画面右端に表示され、第２のアイコンである「第２クイックサイドバー」が、画面左端に表示される。
【００６２】
この場合において、画面右端に表示される第１クイックサイドバーは、携帯端末を右手持ち・右手操作する上で主たる操作アイコンとなるメインアイコンである。また、反対側の画面左端に表示される第２クイックサイドバーは、携帯端末を右手持ち・右手操作する上で、第１クイックサイドバーに準ずる操作支援用のサブアイコンである。
【００６３】
なお、後述するとおり、第１クイックサイドバーおよび第２クイックサイドバーの表示位置は必要に応じてカスタマイズすることが可能であるが、右手操作モードの場合、初期設定において、第１クイックサイドバーは画面右端中央に表示され、第２クイックサイドバーは画面左端中央に表示される。
【００６４】
（左手操作モードの場合におけるクイックサイドバー）
前述した左手操作モードにおいて操作支援アプリが起動すると、第１のアイコンである「第１クイックサイドバー」が、ユーザの利き手側である画面左端に表示され、第２のアイコンである「第２クイックサイドバー」が、画面右端に表示される。
【００６５】
この場合において、画面左右端に表示される第１クイックサイドバーは、携帯端末を左手持ち・左手操作する上で主たる操作アイコンとなるメインアイコンである。また、反対側の画面右端に表示される第２クイックサイドバーは、携帯端末を左手持ち・左手操作する上で、第１クイックサイドバーに準ずる操作支援用のサブアイコンである。
【００６６】
なお、後述するとおり、第１クイックサイドバーおよび第２クイックサイドバーの表示位置は必要に応じてカスタマイズすることが可能であるが、左手操作モードの場合、初期設定において、第１クイックサイドバーは画面左端中央に表示され、第２クイックサイドバーは画面右端中央に表示される。
【００６７】
（クイックサイドバーに対するタッチ操作）
上述した右手操作モード、左手操作モードのいずれにおいても、第１クイックサイドバー、第２クイックサイドバーは、それぞれタッチ操作可能に表示される。これらのクイックサイドバーに対してタッチ操作を行うことで、携帯端末の表示内容や携帯端末の状態を、そのタッチ操作の種類に応じて遷移させることができる。つまり、第１クイックサイドバー、第２クイックサイドバーに対するタッチ操作の種類に応じて、携帯端末に異なるアクションを実行させることができる。
【００６８】
なお、クイックサイドバーに対するタッチ操作、あるいは、クイックサイドバーにおけるタッチ操作とは、具体的には、クイックサイドバーの表示位置の真上であって、表示部のタッチパネルの表面に対するタッチ操作を指すものである。携帯端末のプロセッサは、クイックサイドバーの表示位置の真上においてタッチ操作が行われた場合、当該タッチ相殺の種類の判別を実行する。
【００６９】
（クイックサイドバーに対するタッチ操作の種類）
携帯端末を片手持ちするユーザが、その片手の親指で、第１クイックサイドバー、第２クイックサイドバーに対してタッチ操作すると、画面にタッチしている指の座標や移動速度などに関する各種情報がプロセッサに送られ、それに基づいて、携帯端末のプロセッサがそのタッチ操作の種類を判別（識別／検出）する。
【００７０】
携帯端末のプロセッサによって判別可能なタッチ操作の種類には、例えば次に掲げるタッチ操作が含まれる。
１）クイックサイドバーの表示部分に対するタップ（シングルタップ）。
２）クイックサイドバーの表示部分に対するダブルタップ。
３）クイックサイドバーの表示部分に対するロングタップ。
４）クイックサイドバーの表示部分における長手方向に沿った上向きスワイプ。
５）クイックサイドバーの表示部分における長手方向に沿った下向きスワイプ。
６）クイックサイドバーの表示部分に対する左方向のフリック。
７）クイックサイドバーの表示部分に対する右方向のフリック。
８）クイックサイドバーの表示部分に対する上方向のフリック。
９）クイックサイドバーの表示部分に対する下方向のフリック。
10）クイックサイドバーの表示部分に対するドラッグ＆ドロップ。
【００７１】
なお、上記表現において、「クイックサイドバーの表示部分に対する」とは、具体的には、クイックサイドバーの表示位置の真上であって、表示部のタッチパネルの表面に対するタッチ操作を指すものである。
【００７２】
上記の各タッチ操作の詳細は次のとおりである。
【００７３】
タップ（シングルタップ）
操作方法：画面を指先で１回叩く。
備考：ちょん、と短く画面にタッチする感じ。
ダブルタップ
操作方法：画面を指先で２回叩く。
備考：ちょんちょんと続けて画面にタッチする感じ。
ロングタップ（長押し）
操作方法：画面を指先で長く押す。
備考：力を入れて押すと表示部が壊れるので注意。
上向きスワイプ（スライド）
操作方法：指を画面から離さずに画面上を上向きにスライドさせる。
備考：力を入れて押すと表示部が壊れるので注意。
下向きスワイプ（スライド）
操作方法：指を画面から離さずに画面上を下向きにスライドさせる。
備考：力を入れて押すと表示部が壊れるので注意。
フリック
操作方法：画面に触れ、その指先を素早く払う。
備考：ピッとはじくような感じでタッチする。
右方向のフリック
操作方法：右に向かって指先を素早く払う。
備考：ちょん、ピッと続けて操作する感じでタッチする。
左方向のフリック
操作方法：左に向かって指先を素早く払う。
備考：ちょん、ピッと続けて操作する感じでタッチする。
上方向のフリック
操作方法：上に向かって指先を素早く払う。
備考：ちょん、ピッと続けて操作する感じでタッチする。
下方向のフリック
操作方法：下に向かって指先を素早く払う。
備考：ちょん、ピッと続けて操作する感じでタッチする。
ドラッグ（ドラッグ＆ドロップ）
操作方法：画面上のアイコンに指先を合わせてアイコンを押したまま移動し、
目当ての場所で当該アイコンを放す（ドロップする）ことで、
その場所に当該アイコンを移動させる。
備考：アイコンが目当ての場所に移動するまで、指先を画面から離さない。
【００７４】
（操作支援アプリによる処理  ／  第１クイックサイドバーに対するタッチ操作）
以下、一例として、携帯端末のユーザが右利きであって、かつ、前述した初期設定画面において操作支援アプリが「右手操作モード」に設定されたと仮定し、第１クイックサイドバーに対してユーザが右手持ち状態で右手でタッチ操作した場合における、操作支援アプリ（携帯端末）による処理の流れを説明する。
【００７５】
図３は、第１クイックサイドバーに対するタッチ操作の種類に応じた操作支援アプリによる処理の流れを示している。なお図３には、ユーザの利き手側の画面端に表示されたクイックサイドバー（第１クイックサイドバー）に対してタッチ操作する場合の処理の流れについて図示している。反対側の画面端に表示されたクイックサイドバー（第２クイックサイドバー）に対してタッチ操作する場合の処理の流れについては、図３と同様であるので、フローチャートでの図示は省略する。
【００７６】
前述した操作支援アプリの初期設定（図２参照）が完了すると、例えば図１５右側に例示されるように、第１クイックサイドバー（第１のアイコン）がユーザの利き手側の画面端に表示され、第２クイックサイドバー（第２のアイコン）が反対側の画面端に表示される。なお、本実施形態では、操作支援アプリが「右手操作モード」に設定された場合を想定しているので、第１クイックサイドバーが画面右端に表示され、第２クイックサイドバーが画面左端に表示される。
【００７７】
第１クイックサイドバー、第２クイックサイドバーは、縦方向に細長いバー形状のアイコン画像からなる。この縦長バー形状のアイコン画像である第１クイックサイドバー、第２クイックサイドバーは、画面端に密着したような状態、すなわち、画面端に隙間なく吸い付いたような状態で、表示部の画面上に表示されている。言い換えると、第１クイックサイドバー、第２クイックサイドバーは、画面端から僅かに突出するように表示されている。好ましくは、第１クイックサイドバーは、ユーザの利き手側の親指の指先が無理なく届く位置に表示されることが望ましい。
【００７８】
これらのクイックサイドバー（細長いバー形状のアイコン）は、図１５などに例示されるとおり、ホームスクリーンに表示された各種アプリケーションや機能を呼び出すためのアイコンと、画面端との間の隙間に表示されている。
【００７９】
上述したとおり第１クイックサイドバー、第２クイックサイドバーが画面端に表示された状態において、例えば、プロセッサが第１クイックサイドバーに対する「ダブルタップ」を判別した場合には、図６左側に示すとおり、表示部の画面表示のＯＮ／ＯＦＦ処理を実行する。図３におけるステップS203の判断Yes、ステップS205を参照。
具体的には、携帯端末の電源がＯＮであって表示部がＯＮの状態において、第１クイックサイドバーに対するダブルタップが判別された場合、プロセッサは、携帯端末の表示部をＯＮ（画面表示状態）からＯＦＦ（画面のスリープ／休止状態）に切り替える。
一方、携帯端末の電源がＯＮであって表示部がＯＦＦの状態（画面のスリープ／休止状態）において、第１クイックサイドバーに対するダブルタップが判別された場合、プロセッサは、携帯端末の表示部をＯＦＦ（画面のスリープ／休止状態）からＯＮ（画面のスリープ解除状態）に切り替える。
つまり、ユーザは、片手持ち状態において当該片手の親指による片手操作で、携帯端末の画面のＯＮ／ＯＦＦ状態を自在に切り替えることができる。
【００８０】
また例えば、プロセッサが第１クイックサイドバーに対する「ドラッグ操作」を判別した場合には、図７右側に示すクイックサイドバーの表示位置変更処理を実行する。図３におけるステップS213の判断Yes、ステップS215を参照。
図７に例示するクイックサイドバー表示位置変更処理において、第１クイックサイドバーに対するドラッグ操作が判別された場合、プロセッサは、画面にタッチした状態で移動している指先に第１クイックサイドバーの表示位置が追従するように、第１クイックサイドバーの表示位置を連続的に変化させる。
そして、ユーザが所望の位置で第１クイックサイドバーの画面上から指先を離すと（つまり第１クイックサイドバーをドロップすると）、第１クイックサイドバーの表示位置を、当該ドロップ位置近傍の画面端に固定する。つまり、第１クイックサイドバーに対するドラッグ＆ドロップ操作によって、第１クイックサイドバーの表示位置が、画面上におけるドロップ位置の最も近くの画面端に移動する。
図７右側に例示する実施形態では、ユーザは、もともと画面右端中央に表示されている第１クイックサイドバーを、画面右端の上下方向の任意の位置に移動させることができ、また、ホームスクリーンを横切って画面左端の上下方向の任意の位置に移動させることもできる。
【００８１】
また例えば、プロセッサが第１クイックサイドバーに対する「ロングタップ」を判別した場合には、図８右側に示すように、操作支援アプリ用の設定画面を表示する。図３におけるステップS223の判断Yes、ステップS225を参照。
図８右側に例示する操作支援アプリ用設定画面（本発明に係るプログラムに係る各種設定用の画面）では、例えば、図２を参照して前述したユーザの利き手設定を変更することが可能である。
また例えば、第１クイックサイドバーに対して関連付ける「タッチ操作の種類」と「タッチ操作の種類に応じて実行させるアクションの種類」を登録または変更することができる。なお、タッチ操作の種類と、携帯端末に実行させるアクションの種類は、１対１の関係で関連付けされた状態で、メモリのデータ格納部に記録されている。したがって、１種類のタッチ操作に反応して、１種類のアクションが携帯端末において実行されることになる。
【００８２】
なお、本実施形態では、「タッチ操作の種類」と「タッチ操作の種類に応じて遷移させる携帯端末の表示内容や状態」は、一例として次のとおりに関連付け（対応付け）されている。つまり、下記表の左側に示すタッチ操作がユーザによって実行されると、携帯端末のプロセッサがそれに反応して右側のアクションを実行する。したがって、第１クイックサイドバーの画面表示部分におけるタッチ操作の種類に応じて、携帯端末の表示内容や携帯端末の状態が下記表の右側に示すとおりに遷移することになる。なお、詳細な説明は省略するが、第２クイックサイドバーに対しても同様に、様々な機能やアプリケーション、画像表示などが対応付けされている。
2016178598.tif 000003
【００８３】
また例えば、プロセッサが第１クイックサイドバーに対する「上スワイプ」を判別した場合には、携帯端末のプロセッサは、図９右側に示すように、あらかじめ設定しておいた所定アプリケ−ションを起動させる。図３におけるステップS233の判断Yes、ステップS235を参照。
図９右側に例示するアプリケ−ション起動画面では、第１クイックサイドバーが表示された画面上に親指（主たる操作指）をタッチさせ、下から上に向かってスワイプさせている。プロセッサは、この上スワイプを判別すると、一例として音楽プレーヤーに関するアプリケーションを起動させる。
この音楽プレーヤーに関するアプリケーションは、前述した図８に例示する設定画面において、あらかじめ設定されている。つまり、第１クイックサイドバーに対するタッチ操作の種類である「上スワイプ」と、このタッチ操作が判別された際のアクションである「音楽プレーヤーに関するアプリケーションの起動」とが、関連付けされた状態でメモリに記録されている。
なお、第１クイックサイドバーにおける「上スワイプ」に対応するアクションは、必ずしも特定のものに限定されるものではなく、例えば図８に例示した操作支援アプリ用の設定画面において、任意のアクション（任意のアプリケーションや機能の起動）に設定または変更することができる。
【００８４】
また例えば、プロセッサが第１クイックサイドバーに対する「下スワイプ」を判別した場合には、携帯端末のプロセッサは、図１０右側に示すように、あらかじめ設定しておいた所定アプリケ−ションを起動させる。図３におけるステップS243の判断Yes、ステップS245を参照。
図１０右側に例示するアプリケ−ション起動画面では、第１クイックサイドバーが表示された画面上に親指（主たる操作指）をタッチさせ、上から下に向かってスワイプさせている。プロセッサは、この下スワイプを判別すると、一例として音楽プレーヤーに関するアプリケーションを起動させる。
この音楽プレーヤーに関するアプリケーションは、前述した図８に例示する設定画面において、あらかじめ設定されている。つまり、第１クイックサイドバーに対するタッチ操作の種類である「下スワイプ」と、このタッチ操作が判別された際のアクションである「音楽プレーヤーに関するアプリケーションの起動」とが、関連付けされた状態でメモリに記録されている。
なお、第１クイックサイドバーにおける「下スワイプ」に対応するアクションは、必ずしも特定のものに限定されるものではなく、例えば図８に例示した操作支援アプリ用の設定画面において、任意のアクション（任意のアプリケーションや機能の起動）に設定または変更することができる。
【００８５】
また例えば、プロセッサが第１クイックサイドバーに対する「左フリック」を判別した場合には、図１１右側に示すように、第１クイックサイドバーを左方向に所定距離移動させつつ、それに続いてプログラムトレイが開くような画像（プログラムトレイのスライドイン画像）を表示する。図３におけるステップS253の判断Yes、ステップS255を参照。
これにより、第１クイックサイドバーの表示位置が、親指１本分ほどの距離だけ左方向に移動する。また、移動した第１クイックサイドバーの隣接位置、すなわち、移動した第１クイックサイドバーと画面右端との間のスペースに、選択可能な複数のアプリケーションや機能のアイコンが縦スクロール可能に表示される（図３におけるステップS257）。
縦スクロール可能に表示される複数のアイコンは、例えば、通常のホームスクリーンにスクロール可能に表示される複数のアイコンと同じものとすることができる。あるいは、ホームスクリーンに表示される複数のアイコンのなかで、ユーザが選んだ任意のアプリケーションや機能のアイコンを、縦スクロール可能に表示することができる。そのような任意のアプリケーションや機能のアイコンは、例えば、例えば図８に例示した操作支援アプリ用の設定画面において登録または変更することができる。
このように、第１クイックサイドバーと画面右端との間のスペースに、選択可能な複数のアプリケーションや機能のアイコンを縦スクロール可能に表示することで、片手持ち状態の親指だけで、所望のアイコンに対して確実にタッチ操作（一般的にはタップ）することができる。
なお、本実施形態において「プログラムトレイ」とは、アプリケーション・ソフトウェアや携帯端末の機能に関連付けされたアイコンやボタン画像などを表示するための領域（フォルダのようなもの）を意味する。
【００８６】
また例えば、図１１右側に示すようにプログラムトレイが開いた状態において、プロセッサが第１クイックサイドバーに対する「右フリック」を判別した場合には、図１１右側に示すように、第１クイックサイドバーを右方向に所定距離移動させつつ、プログラムトレイが閉じるような画像（プログラムトレイのスライドアウト画像）を表示する。図３におけるステップS263の判断Yes、ステップS265を参照。これにより、第１クイックサイドバーの表示位置を、プログラムトレイが開く前のもとの位置（つまり画面端）に戻すことができる。
なお、プログラムトレイを閉じるときのタッチ操作は、必ずしも右フリックに限定されるものではなく、例えば、図１１に示すようにプログラムトレイが開いた状態で第１クイックサイドバーをタップすることで、プログラムトレイが閉じるようにしてもよい。
【００８７】
また例えば、図１１に示すようにプログラムトレイが開いた状態において、プロセッサが第１クイックサイドバーに対する「左フリック」を判別した場合には、図１２に示すように、第１クイックサイドバーおよびプログラムトレイを更に左方向に所定距離移動させつつ、携帯端末の簡易設定用のクイック設定メニューが開くような画像（クイック設定メニューのスライドイン画像）を表示する。
これにより図１２に示すように、第１クイックサイドバーおよびプログラムトレイの表示位置が、図１１に示す状態から更に左方向に所定距離移動する。また、左方向に移動したプログラムトレイと画面右端との間のスペースには、図１２に示すように、携帯端末の簡易設定用の画面であるクイック設定メニューが表示される。
クイック設定メニューには、例えば、携帯端末の各種機能（画面の明るさや通信モードなど）を簡易設定するためのアイコンやボタン画像などが表示される。
このように、第１クイックサイドバーを横方向において多段的（２段階）にフリック操作可能にすることで、第１クイックサイドバーに対してより多くの機能を関連付けることが可能になる。
なお、本実施形態では２段階目の左フリックによって、図１２に例示するようにクイック設定メニューを表示しているが、かならずしもこれに限定されず、２段階目の左フリックによって例えばソフトウェアキーボードを表示させるようにしてもよい。ソフトウェアキーボードとは、いわゆるソフトキーであり、-キーボードの機能をソフトウェアで実現したものである。
【００８８】
また例えば、上述したようにクイック設定メニューが開いた状態において、プロセッサが第１クイックサイドバーに対する「右フリック」を判別した場合には、図１２に示すように、第１クイックサイドバーおよびプログラムトレイを右方向に所定距離移動させつつ、クイック設定メニューが閉じるような画像（クイック設定メニューのスライドアウト画像）を表示する。これにより、第１クイックサイドバーおよびプログラムトレイを、クイック設定メニューが開く前のもとの位置（図１１に示す状態）に戻すことができる。
【００８９】
（操作支援アプリによる処理  ／  第２クイックサイドバーに対するタッチ操作）
次に、上記と同じく一例として、携帯端末のユーザが右利きであって、かつ、前述した初期設定画面において操作支援アプリが「右手操作モード」に設定されたと仮定し、第２クイックサイドバーに対してユーザがタッチ操作した場合における、操作支援アプリ（携帯端末）による処理の流れを説明する。
【００９０】
例えば、プロセッサが第２クイックサイドバーに対する「右フリック」を判別した場合には、図１４に示すように、第２クイックサイドバーの表示位置を画面右側に移動させると同時に、携帯端末の各種機能等に関する設定画面が開くような画像（設定画面のスライドイン画像）を表示する。
これにより、第２クイックサイドバーの表示位置が、画面右側に移動するとともに、移動した第２クイックサイドバーと画面左端との間のスペースに、携帯端末の各種機能等に関する設定画面が表示される。
【００９１】
また例えば、図１４に示すように携帯端末の各種機能等に関する設定画面が開いた状態において、プロセッサが第２クイックサイドバーに対する「左フリック」（上記と逆方向のフリック）を判別した場合には、図１４に示すように、第２クイックサイドバーを左方向に移動させつつ、当該設定画面が閉じるような画像（設定画面のスライドアウト画像）を表示する。これにより、第２クイックサイドバーの表示位置を、もとの位置（つまり画面端）に戻すことができる。
なお、携帯端末の各種機能等に関する設定画面を閉じるときのタッチ操作は、必ずしも左フリックに限定されるものではなく、例えば、図１４に示すように設定画面が開いた状態で第２クイックサイドバーをタップすることで、当該設定画面が閉じるようにしてもよい。
【００９２】
（操作支援アプリによる処理  ／  第１，第２クイックサイドバーに対する同時のタッチ操作）
次に、上記と同じく一例として、携帯端末のユーザが右利きであって、かつ、前述した初期設定画面において操作支援アプリが「右手操作モード」に設定されたと仮定し、第１および第２クイックサイドバーに対してユーザがほぼ同時にタッチ操作した場合における、操作支援アプリ（携帯端末）による処理の流れを説明する。
【００９３】
図４は、ユーザが第１および第２クイックサイドバーの両方に対してほぼ同時にタッチ操作が行われた場合の処理の流れの一例を示している。
【００９４】
ユーザが、画面両端に表示されている第１および第２クイックサイドバーの両方に対して、ほぼ同時にシングルタップ（タッチ操作の１種）を行った場合、携帯端末のプロセッサはそれを判別する。図４におけるステップS401の判断Yesを参照。
【００９５】
そして、プロセッサが第１および第２クイックサイドバーに対する「ほぼ同時のシングルタップ」を判別した場合には、図１５左側に示すように、あらかじめ設定しておいた所定アプリケ−ションを起動させる。図４におけるステップS403を参照。
【００９６】
図１５左側に例示するアプリケ−ション起動画面では、ユーザは、第１クイックサイドバーが表示された画面上に右手の指をシングルタップさせ、それとほぼ同時に、第２クイックサイドバーが表示された画面上に左手の指をシングルタップさせている。プロセッサは、この第１および第２クイックサイドバーの両方に対する「ほぼ同時のシングルタップ」を判別すると、一例としてスクリーンショット機能を起動させる。図４におけるステップS403を参照。
【００９７】
スクリーンショット機能とは、携帯端末の表示部に表示されている画面（内容）などをそのまま画像として撮影し、画像データ（JPGデータなど）として保存する機能であり、例えば「いま画面上に見えているアプリケーションやウェブなどの画面を画像データとして保存したい」場合などに役立つ機能である。
【００９８】
なお、第１，第２クイックサイドバーに対するほぼ同時のタッチ操作に対応するアクションは、必ずしも特定のものに限定されるものではなく、図８に例示した設定画面において、任意のアクション（任意のアプリケーションや機能の起動）に設定または変更することができる。
【００９９】
また、第１，第２クイックサイドバーに対するほぼ同時のタッチ操作の種類は、必ずしもシングルタップに限定されるものではない。つまり、第１，第２クイックサイドバーに対するタッチ操作（タップ以外のタッチ操作）がほぼ同時に行われたときに、第１クイックサイドバーに対するタッチ操作の種類と、第２クイックサイドバーに対するタッチ操作の種類と、の任意の組み合わせ（ユーザが指定した任意の組み合わせ）に応じて、携帯端末の表示内容または状態を遷移させることも可能である。
【０１００】
（操作支援アプリによる処理  ／  着信時の処理）
次に、電話やメッセージが着信したときの処理ついて説明する。
【０１０１】
図５は、携帯端末に電話やメッセージが着信したときの処理を例示している。
【０１０２】
図５に示す実施形態において、携帯端末に電話やメッセージの着信があったと判断すると、図１６右側に示すように、プロセッサが第１クイックサイドバーの隣接位置に波紋状の画像を表示する。図５におけるステップS501の判断Yes、ステップS503を参照。
【０１０３】
図１６右側に示す波紋表示は、単なる画像でもよく、あるいは連続的な波紋を示すアニメーション画像であってもよい。
【０１０４】
そして、着信した電話やメッセージに対応するアプリを起動させて、電話またはメッセージの送信者を確認すると、それを受けて、前述した波紋表示が画面から消失するようになっている。図５におけるステップS505の判断Yes、ステップS507を参照。
【０１０５】
（ホームスクリーンのスクロール処理）
上述したとおり、本発明の携帯端末では、左右方向のフリック（横方向のスライド）といったタッチ操作を伴うため、従来のスマートフォンと同様に、ホームスクリーンを左右方向にスクロールさせる場合には、当該フリックによってホームスクリーンが誤ってスクロールすることが考えられる。
【０１０６】
そこで本発明では、図１５右側に示すように、選択可能な複数のアプリケーションや機能のアイコンが表示されるホームスクリーンを、縦方向にスクロール表示するようになっている。
【０１０７】
（左手操作モードでの片手持ち・片手操作）
上述した実施形態は、携帯端末のユーザが右利きであって、かつ、前述した初期設定画面において操作支援アプリが「右手操作モード」に設定された場合を想定して説明した。
携帯端末のユーザが左利きであって、かつ、前述した初期設定画面において操作支援アプリが「左手操作モード」に設定された場合は、上述した実施形態の左右が真逆になるほかは同様である。
また、「左手操作モード」に設定された場合の処理については、図６右側、図７左側、図８左側、図９左側、図１０左側、図１１左側、図１３、図１４左側、図１６左側に図示したので、「左手操作モード」での処理については、適宜、これらの図を参照されたい。
【０１０８】
（他の実施形態）
本発明に係る携帯端末は、従来より提供されているアプリケーション・プログラムの操作を妨げるものではない。例えば、アプリケーション・プログラムの種類によっては、従来の携帯端末と同様に、図１７左側に示すように横方向のスワイプ等によって当該プログラムを操作することができる。また、アプリケーション・プログラムの種類によっては、図１８右側に示すように縦方向のスワイプ等によって当該プログラムを操作することができる。
【０１０９】
また、本発明の実施形態は、必ずしも携帯端末に限定されるものではなく、上述した各機能・効果を既存の携帯端末に付与するためのプログラム（アプリケーション・プログラム）の形態で実施することも可能である。
【０１１０】
つまり、本発明によれば、携帯端末が具備するプロセッサを、
・第１クイックサイドバー表示部（第１のアイコン表示手段）、
・第１タッチ操作判別部（第１のタッチ操作判別手段）、
・第１遷移部（第１の遷移手段）、
・第２クイックサイドバー表示部（第２のアイコン表示手段）、
・第２タッチ操作判別部（第２のタッチ操作判別手段）、
・第２遷移部（第２の遷移手段）、
・第３遷移部（第３の遷移手段）、
・波紋画像表示部（波紋画像表示手段）、
・アイコン・スクロール表示部（アイコン・スクロール表示手段）、
・ホームスクリーン・スクロール部（ホームスクリーン・スクロール手段）、
などとして機能させることができるプログラムを提供できるようになる。
【図１】
2016178598.tif 000004
【図２】
2016178598.tif 000005
【図３】
2016178598.tif 000006
【図４】
2016178598.tif 000007
【図５】
2016178598.tif 000008
【図６】
2016178598.tif 000009
【図７】
2016178598.tif 000010
【図８】
2016178598.tif 000011
【図９】
2016178598.tif 000012
【図１０】
2016178598.tif 000013
【図１１】
2016178598.tif 000014
【図１２】
2016178598.tif 000015
【図１３】
2016178598.tif 000016
【図１４】
2016178598.tif 000017
【図１５】
2016178598.tif 000018
【図１６】
2016178598.tif 000019
【図１７】
2016178598.tif 000020
【図１８】
2016178598.tif 000021